(57)【要約】【課題】周囲を明るくできる照明装置を提供する。【解決手段】照明装置10は、導光板15および発光素子35を備える。導光板15は、表面部25、表面部25に対して反対側の背面部26、および背面部26側に設けられた溝部29を有する。発光素子35は、導光板15の溝部29に配置する。【選択図】図１
2014179283.tif 000002
【特許請求の範囲】
【請求項１】
表面部、表面部に対して反対側の背面部、および背面部側に設けられた溝部を有する導光板と；
導光板の溝部に配置された発光素子と；
を具備していることを特徴とする照明装置。
【請求項２】
前記導光板には、導光板の溝部より外端側に導光板の端面部が設けられているとともに、導光板の溝部より導光板の表面部側に導光板の端面部に連続する導光部が設けられている
ことを特徴とする請求項１記載の照明装置。
【請求項３】
導光板の溝部は、導光板の周辺部に設けられているとともに、導光板の中央側に対向する溝部の内面に入射面を有し、
発光素子は、発光部を有し、導光板の溝部内で発光部が入射面に対向するように配置されている
ことを特徴とする請求項１または２記載の照明装置。
【請求項４】
導光板の表面部に対向する溝部の内面側へ向う発光素子からの光を入射面へ反射させる反射手段を具備している
ことを特徴とする請求項３記載の照明装置。
【請求項５】
導光板の表面部に対向する溝部の内面側へ向う発光素子からの光を拡散させる拡散手段を具備している
ことを特徴とする請求項３記載の照明装置。
【請求項６】
導光板の背面側を取り付けたシャーシと；
シャーシへ向う発光素子からの光を吸収する吸収手段と；
を具備していることを特徴とする請求項３記載の照明装置。
【発明の詳細な説明】
【技術分野】
【０００１】
本発明の実施形態は、導光板を用いた照明装置に関する。
【背景技術】
【０００２】
従来、発光素子の光を導光板に入射させてこの導光板の表面部から光を出射させることにより、導光板の表面部である発光面の均斉度を向上させるようにした天井直付形の照明装置がある。
【０００３】
導光板は四角形の平板状に形成され、この導光板の端面に対向して発光素子が配置されている。発光素子は基板に実装され、この基板が導光板の周辺部を覆って支持する金属製の枠体に熱伝導可能に取り付けられている。
【先行技術文献】
【特許文献】
【０００４】
【特許文献１】特開２０１２−１０９０５５号公報
【発明の概要】
【発明が解決しようとする課題】
【０００５】
しかしながら、導光板を用いた照明装置は、導光板の端面に対向して発光素子を配置していることで、発光素子とともに導光板の周辺部を金属製の枠体で覆っているため、照明空間に出射される光は導光板の表面部のみからであって下方向にしか出射されず、照明装置の周囲が暗くなり、違和感を感じやすい。
【０００６】
本発明が解決しようとする課題は、周囲を明るくできる照明装置を提供することである。
【課題を解決するための手段】
【０００７】
実施形態の照明装置は、導光板および発光素子を備える。導光板は、表面部、表面部に対して反対側の背面部、および背面部側に設けられた溝部を有する。発光素子は、導光板の溝部に配置する。
【発明の効果】
【０００８】
本発明によれば、導光板の背面部側に設けた溝部に発光素子を配置することにより、発光素子から導光板に入射した光を導光板の端面部からも出射させ、照明装置の周囲を明るくすることが期待できる。
【図面の簡単な説明】
【０００９】
【図１】第１の実施形態を示す照明装置の導光板の断面図である。
【図２】同上照明装置の断面図である。
【図３】第２の実施形態を示す照明装置の導光板の断面図である。
【図４】同上導光板の発光面の照度分布図を示し、(a)は反射板がある場合の発光面の照度分布図、(b)は反射板がない場合の発光面の照度分布図である。
【図５】第３の実施形態を示す照明装置の導光板の断面図である。
【図６】第４の実施形態を示す照明装置の導光板の断面図である。
【図７】第５の実施形態を示す照明装置の導光板の断面図である。
【図８】第６の実施形態を示す照明装置の導光板の断面図である。
【図９】第７の実施形態を示す照明装置の導光板の断面図である。
【発明を実施するための形態】
【００１０】
以下、第１の実施形態を、図１および図２を参照して説明する。
【００１１】
図２に示すように、照明装置10は、周囲形状が円形あるいは四角形の天井直付形照明器具であり、天井面11に設置された引掛シーリングボディ12にアダプタ13を介して取り付けられる。
【００１２】
照明装置10は、器具本体としてのシャーシ14、このシャーシ14の下面に取り付けられた導光板15、導光板15に配置された発光ユニット16、およびシャーシ14内に配置された点灯回路17を備えている。
【００１３】
シャーシ14は、例えば金属製で、下面に導光板15が取り付けられる取付面部20が形成され、この取付面部20の周囲から側面部21が立ち上げられている。シャーシ14の上面中央部には、アダプタ13に装着されるアダプタガイド22が取り付けられている。
【００１４】
図１に示すように、導光板15は、例えばアクリル樹脂などの透過率の高い材料によって円形あるいは四角形の平板状に形成されており、一主面であって下面である表面部25、この表面部25に対して反対側となる上面である背面部26、および側面である端面部27を有している。端面部27は表面部25から背面部26にかけて湾曲した湾曲面に形成されている。表面部25および端面部27が、導光板15から光が出射する発光面28として構成されている。
【００１５】
導光板15の背面部26の周辺部近傍には、発光ユニット16が収容配置される溝部29が形成されている。導光板15の中央側に対向する溝部29の内面には、表面部25および背面部26に対して略垂直に形成された入射面30が形成されている。表面部25に対向する溝部29の内面は表面部25に沿って平行な平面に形成され、端面部27に対向する溝部29の内面は端面部27に沿った湾曲面に形成されている。なお、導光板15の背面部26側に設けられる溝部29は、導光板15の外形状（円形、四角形）にかかわらず、例えば四角形溝状に形成してもよいし、導光板15の外形状が円形の場合などには外形状に合わせて円形溝状に形成してもよい。
【００１６】
導光板15の溝部29より導光板15の表面部25側に、導光板15の端面部27に連続する導光部31が設けられている
導光板15の表面部25および端面部27には光を拡散する拡散手段32が設けられている。拡散手段32は、例えば、導光板15の表面部25および端面部27の外面に、拡散処理を施したり、拡散シートを貼り付けたり、拡散板を配置するなど、どのような構成を用いてもよい。
【００１７】
導光板15の背面部26には反射手段を設けてもよい。この反射手段は、例えば、反射シートや反射板を用いてもよいし、導光板15の背面側を取り付けるシャーシ14の取付面部20を兼用してもよい。
【００１８】
また、発光ユニット16は、発光モジュール33、およびこの発光モジュール33を取り付けたフレーム34を有し、導光板15の溝部29に沿って収容配置されている。
【００１９】
発光モジュール33は、複数の発光素子35、および複数の発光素子35を実装した基板36を有している。発光素子35には、例えば、面実装タイプのＳＭＤパッケージ式のＬＥＤ素子が用いられる。このＳＭＤパッケージは、ケース内にＬＥＤベアチップを配置し、蛍光体を含有した封止樹脂で封止したもので、封止樹脂の表面が光を出射する発光部35aとして構成されている。なお、発光素子35としては、発光色が同色のものを用いてもよいし、発光色が異なるものや発光色を変化させることが可能な物を用いてもよく、あるいは、例えばＥＬ素子などの他の発光素子を用いてもよい。また、基板36は、導光板15の溝部29に収まるように細長く形成され、その長手方向に沿って複数の発光素子35が１列または複数列配列されている。
【００２０】
フレーム34は、例えばアルミニウムなどの金属製で、導光板15の溝部29に納まるように細長く形成されており、長手方向に沿って基板36が熱的に接続された状態に取り付けられている。フレーム34は、シャーシ14に熱的に接続された状態に取り付けられている。
【００２１】
発光ユニット16は、導光板15の溝部29内で、溝部29内の入射面30に発光素子35の発光部35aが対向するように配置されている。さらに、導光板15の対向する溝部29の部分に配置された発光素子35の発光部35aが互いに対向されている。
【００２２】
また、点灯回路17の電源入力側がアダプタ13および引掛シーリングボディ12を通じて商用交流電源に接続され、点灯回路17の点灯出力側が発光モジュール33の基板36を通じて複数の発光素子35に接続されている。点灯回路17により、交流電力を所定の直流電力に変換して発光素子35に供給し、発光素子35を点灯させる。
【００２３】
そして、照明装置10の点灯時には、発光素子35の発光部35aから出た光が、主に、導光板15の入射面30から導光板15内に入射し、導光板15内を反射しながら導光板15の反対側へ向うとともに、反射を繰り返す光の一部が表面部25から出射される。
【００２４】
さらに、導光板15内を反射しながら導光板15の反対側へ向う光は、反対側の溝部29と表面部25との間の導光部31を通じて端面部27に到達し、端面部27から導光板15の側方や上方に出射される。
【００２５】
そのため、導光板15の表面部25および端面部27を含む発光面28全体が、均一な明るさで発光する。
【００２６】
このように、導光板15の背面部26側に設けた溝部29に発光素子35を配置することにより、発光素子35から導光板15に入射した光を導光板15の端面部27からも出射させ、照明装置10の周囲を明るくすることができる。これにより、照明装置10が設置された天井面11も明るくすることができ、違和感を低減できる。
【００２７】
また、導光板15の溝部29より導光板15の表面部25側に導光板15の端面部27に連続する導光部31を設けることにより、光を端面部27まで導くことができる。
【００２８】
また、発光素子35は、導光板15の溝部29内で発光部35aが導光板15の中央側に対向する入射面30に対向するように配置することにより、光を他端側の端面部27に導くことができる。
【００２９】
また、導光板15の端面部27を湾曲面に形成することにより、上方へ出射する光を増加させることができる。
【００３０】
さらに、導光板15の表面部25および端面部27の外面に拡散手段32を設けることにより、輝線などによる輝度むらの発生を低減できる。
【００３１】
次に、図３および図４に第２の実施形態を示す。なお、第１の実施形態と同じ構成および作用効果については同じ符号を用いてその説明を省略する。
【００３２】
図３に示すように、照明装置10は、少なくとも導光板15の表面部25に対向する溝部29の内面側へ向う発光素子35からの光を入射面30へ反射させる反射手段40を備えている。反射手段40は、発光素子35の光出射側に配置されて、発光素子35から出た光がすべて導光板15の入射面30に入射するように反射させる反射板41である。
【００３３】
反射板41がない場合、図３の破線矢印に示すように、発光素子35の光が発光素子35の近傍位置から導光板15の表面部25へ向い、導光板15内を他端側へ向けて導光されずに、導光板15の表面部25から輝線となって出射しやすい。
【００３４】
反射板41がある場合、図３の実線矢印に示すように、発光素子35の光は、すべて導光板15の入射面30に入射され、導光板15内を他端側へ向けて導光されやすい。
【００３５】
図４には、例えば、導光板15が円形で導光板15に設ける溝部29が四角形である場合の発光面の輝度分布図を示す。図４(a)は反射板41がある場合の発光面28の照度分布図、図４(b)は反射板41がない場合の発光面28の照度分布図である。図４(b)に示すように、反射板41がない場合、発光面28に溝部29の形状に一致した輝線Ａが出るため、発光面28の均斉度が低下する。それに対して、図４(a)に示すように、反射板41がある場合、発光面28に輝線が出ないため、発光面28の均斉度を向上でき、しかも、導光板15内を他端側へ向けて導光される光を増加させ、端面部27から出射する光を増加でき、照明装置10の周囲をより明るくできる。
【００３６】
なお、図３に示すように、導光板15の端面部27は、表面部25および背面部26に対して略垂直な面でもよい。この場合、端面部27に拡散手段32を設けることにより、光を上方へも出射させることができる。
【００３７】
次に、図５に第３の実施形態を示す。なお、各実施形態と同じ構成および作用効果については同じ符号を用いてその説明を省略する。
【００３８】
反射手段40を、導光板15の表面部25に対向する溝部29の内面に設ける。反射手段40としては、例えば、その溝部29の内面に反射材を塗布した反射層を用いてもよいし、反射板を配置するようにしてもよい。
【００３９】
この場合にも、反射手段40がない場合、図５の破線矢印で示すように、導光板15の表面部25から輝線となって出射しやすい。
【００４０】
反射手段40があることにより、図５の実線矢印に示すように、発光素子35の光は、すべて導光板15の入射面30に入射し、導光板15内を他端側へ向けて導光されやすい。
【００４１】
次に、図６に第４の実施形態を示す。なお、各実施形態と同じ構成および作用効果については同じ符号を用いてその説明を省略する。
【００４２】
導光板15の表面部25に対向する溝部29の内面に拡散手段44を設ける。拡散手段44は、例えば、その溝部29の内面をブラスト処理して面散乱特性を持たせてもよいし、拡散板を配置するようにしてもよい。
【００４３】
この場合にも、拡散手段44がない場合、図６の破線矢印で示すように、導光板15の表面部25から輝線となって出射しやすい。
【００４４】
拡散手段44があることにより、図６の実線矢印に示すように、導光板15の表面部25に対向する溝部29の内面に向った発光素子35の光は、拡散手段44で拡散されて導光板15内に入射し、導光板15内を導光されやすい。拡散手段44を通じて導光板15内に入射した光の一部は、近傍に位置する端面部27に向い、端面部27から出射する光が増加する。
【００４５】
また、照明装置10の点灯時および消灯時とも、導光板15の表面部25側を見た場合、拡散手段44によって発光素子35の存在が見えるのを低減できる。
【００４６】
次に、図７に第５の実施形態を示す。なお、各実施形態と同じ構成および作用効果については同じ符号を用いてその説明を省略する。
【００４７】
導光板15の背面部26がシャーシ14に取り付けられ、溝部29の背面側にシャーシ14が配置されている。この溝部29内に臨むシャーシ14の部分に光を吸収する吸収手段47を設ける。吸収手段47は、例えば、黒色塗装によって吸収層を形成する。
【００４８】
吸収手段47がない場合、図７の破線矢印で示すように、発光素子35から出てシャーシ14で反射した光が発光素子35の近傍位置から導光板15の表面部25へ向い、導光板15内を導光されずに、導光板15の表面部25から輝線となって出射しやすい。
【００４９】
吸収手段47があることにより、シャーシ14に向った発光素子35の光は、吸収手段47で吸収されて反射量が低減され、導光板15の表面部25から輝線が出るのを低減できる。
【００５０】
なお、反射手段40、拡散手段44および吸収手段47は、任意に組み合わせて用いてもよい。
【００５１】
次に、図８に第６の実施形態を示す。なお、各実施形態と同じ構成および作用効果については同じ符号を用いてその説明を省略する。
【００５２】
導光板15の背面部26側に設けられる溝部29は、外周囲が開口された溝形状でもよい。
【００５３】
次に、図９に第７の実施形態を示す。なお、各実施形態と同じ構成および作用効果については同じ符号を用いてその説明を省略する。
【００５４】
第６の実施形態と同様に、導光板15の背面部26側に設けられる溝部29の外周囲が開口された溝形状の場合に、表面部25側が溝部29側より外端側に突出するように端面部27を傾斜面あるいは曲面に形成する。例えば、導光板15の表面部25からの光出射方向（表面部25に垂直な方向）に対して４０°傾斜した傾斜面とする。
【００５５】
これにより、導光部31を通じて端面部27に到達した光の一部を表面部25側に反射させて出射させるとともに、光の一部を端面部27から側方や上方へ出射させる。
【００５６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５７】
10    照明装置
14    シャーシ
15    導光板
25    表面部
26    背面部
27    端面部
29    溝部
30    入射面
31    導光部
35    発光素子
35a   発光部
40    反射手段
44    拡散手段
47    吸収手段
【図１】
2014179283.tif 000003
【図２】
2014179283.tif 000004
【図３】
2014179283.tif 000005
【図４】
2014179283.tif 000006
【図５】
2014179283.tif 000007
【図６】
2014179283.tif 000008
【図７】
2014179283.tif 000009
【図８】
2014179283.tif 000010
【図９】
2014179283.tif 000011